(57)【要約】【課題】暗号化や誤り訂正符号化による処理遅延を低く抑えることで、緊急警報放送などの重要コンテンツの受信側への通知を速やかに行うことができる再送信制御システム及び再送信制御方法を提供する。【解決手段】放送波受信チューナ４は、放送波送信装置３から送信されたコンテンツを受信した場合、そのコンテンツに緊急度を示すフラグが付されていれば、重要コンテンツとして暗号化を省略し、無線ＬＡＮアクセスポイント５は、放送波受信チューナ４で暗号化が省略された重要コンテンツに対するＡＬ−ＦＥＣ符号化を省略する。【選択図】図１
2017028573.tif 000002
【特許請求の範囲】
【請求項１】
送信装置から送信されたコンテンツを受信し、暗号化および誤り訂正符号化の少なくともいずれか一方を施して前記コンテンツを再送信する再送信制御システムであって、
前記送信装置は、前記コンテンツに対して緊急度を示すフラグを付し、
前記再送信制御システムは、プロセッサを有し、
前記プロセッサは、前記緊急度を示すフラグが付されたコンテンツに対しては、暗号化および誤り訂正符号化の少なくともいずれか一方を省略し、もしくは、計算量を低減させた誤り訂正符号化を施す、
再送信制御システム。
【請求項２】
請求項１に記載の再送信制御システムであって、
前記送信装置は、放送波送信装置である、
再送信制御システム。
【請求項３】
請求項２に記載の再送信制御システムであって、
前記再送信制御システムは、
前記放送波送信装置から送信されたコンテンツを受信し、受信された前記コンテンツに対して暗号化を施す放送波受信チューナと、
前記放送波受信チューナから出力された暗号化された前記コンテンツに対して誤り訂正符号化を施すアクセスポイントと、を有する、
再送信制御システム。
【請求項４】
請求項１に記載の再送信制御システムであって、
前記送信装置は、コンテンツ配信サーバである、
再送信制御システム。
【請求項５】
請求項１から請求項４のいずれか一項に記載の再送信制御システムであって、
前記再送信制御システムから再送信されたコンテンツを受信する受信端末は、受信された前記コンテンツに対して暗号化および誤り訂正符号化の少なくともいずれか一方が施されていなかった場合、暗号化および誤り訂正符号化の少なくともいずれか一方の復号化を省略する、
再送信制御システム。
【請求項６】
送信装置から送信されたコンテンツを受信し、暗号化および誤り訂正符号化の少なくともいずれか一方を施して前記コンテンツを再送信する再送信制御システムにおける再送信制御方法であって、
前記コンテンツに対して緊急度を示すフラグを付すステップと、
前記緊急度を示すフラグが付されたコンテンツに対しては、暗号化および誤り訂正符号化の少なくともいずれか一方を省略し、もしくは、計算量を低減させた誤り訂正符号化を施すステップと、を有する、
再送信制御方法。
【発明の詳細な説明】
【技術分野】
【０００１】
本開示は、送信装置から送信されたコンテンツを受信して再送信する再送信制御システム及び再送信制御方法に関する。
【背景技術】
【０００２】
従来の再送信制御システムとして、例えば特許文献１に記載されたものがある。特許文献１に記載されたシステムは、放送局から送信されたデジタル放送信号を受信し、受信したデジタル放送信号をパケット化した第１のＩＰパケットを、ＩＰ網を介して送信する。また、デジタル放送信号に含まれる伝送制御信号から緊急警報放送用起動フラグを抽出して、抽出した緊急警報放送用起動フラグをパケット化した第２のＩＰパケットを、ＩＰ網を介してマルチキャストによって送信する。第２のＩＰパケットは、この第２のＩＰパケットを受信したテレビジョン受信機を待機の状態から電源を投入する状態へ変更するために用いられる。
【先行技術文献】
【特許文献】
【０００３】
【特許文献１】特開２０１４−０２７６６４号公報
【発明の概要】
【発明が解決しようとする課題】
【０００４】
ところで、送信装置から送信されたコンテンツを受信して再送信する再送信制御システムでは、コンテンツ保護のための暗号化や、無線ＬＡＮでのマルチキャスト配信時におけるパケットロス対応のためのＡＬ−ＦＥＣ（Application Layer - Forward Error Correction）符号化（誤り訂正符号化の一種）が施される。しかしながら、コンテンツ保護のための暗号化や、無線ＬＡＮでのマルチキャスト配信時におけるパケットロス対応のためのＡＬ−ＦＥＣ符号化は処理量が多く処理遅延が問題となる場合がある。例えば、地震や噴火等の喫緊事態を知らせる緊急警報放送などの重要コンテンツはできるだけ速やかにユーザに伝える必要があるが、暗号化やＡＬ−ＦＥＣ符号化を施すことによる処理遅延がそれを阻害してしまう。特に、暗号化やＡＬ−ＦＥＣ符号化を施すことで、受信側で暗号復号化やＡＬ−ＦＥＣ復号化を行う必要があるため、受信側での処理遅延もユーザへの通知を遅らせる原因となる。
【０００５】
本開示は、係る事情に鑑みてなされたものであり、暗号化や誤り訂正符号化による処理遅延を低く抑えることで、緊急警報放送などの重要コンテンツの受信側への通知を速やかに行うことができる再送信制御システム及び再送信制御方法を提供することを目的とする。
【課題を解決するための手段】
【０００６】
本開示の再送信制御システムは、送信装置から送信されたコンテンツを受信し、暗号化および誤り訂正符号化の少なくともいずれか一方を施して前記コンテンツを再送信する再送信制御システムであって、前記送信装置は、前記コンテンツに対して緊急度を示すフラグを付し、前記再送信制御システムは、プロセッサを有し、前記プロセッサは、前記緊急度を示すフラグが付されたコンテンツに対しては、暗号化および誤り訂正符号化の少なくともいずれか一方を省略し、もしくは、計算量を低減させた誤り訂正符号化を施す。
【０００７】
本開示の再送信制御方法は、送信装置から送信されたコンテンツを受信し、暗号化および誤り訂正符号化の少なくともいずれか一方を施して前記コンテンツを再送信する再送信制御システムにおける再送信制御方法であって、前記コンテンツに対して緊急度を示すフラグを付すステップと、前記緊急度を示すフラグが付されたコンテンツに対しては、暗号化および誤り訂正符号化の少なくともいずれか一方を省略し、もしくは、計算量を低減させた誤り訂正符号化を施すステップと、を有する。
【発明の効果】
【０００８】
本開示によれば、暗号化や誤り訂正符号化による処理遅延を低く抑えることができるので、緊急警報放送などの重要コンテンツの受信側への通知を速やかに行うことができる。
【図面の簡単な説明】
【０００９】
【図１】本開示の一実施の形態に係る再送信制御システムの概略構成を示すブロック図
【図２】図１の再送信制御システムにおけるデータフォーマットを示す図
【図３】図１の再送信制御システムにおける放送波受信チューナ、無線ＬＡＮアクセスポイント及び無線ＬＡＮ受信機それぞれの動作を説明するためのフローチャート
【図４】図１の再送信制御システムの第１変形例のデータフォーマットを示す図
【図５】図１の再送信制御システムの第１変形例における放送波受信チューナ、無線ＬＡＮアクセスポイント及び無線ＬＡＮ受信機それぞれの動作を説明するためのフローチャート
【図６】図１の再送信制御システムの第２変形例のデータフォーマットを示す図
【図７】図１の再送信制御システムの第２変形例における放送波受信チューナ、無線ＬＡＮアクセスポイント及び無線ＬＡＮ受信機それぞれの動作を説明するためのフローチャート
【図８】図１の再送信制御システムに適用可能な重要コンテンツ配信種別と暗号化・ＡＬ−ＦＥＣ符号化機能の搭載の有無を示すパターンを示す図
【図９】図１の再送信制御システムの第３変形例における放送波受信チューナ、無線ＬＡＮアクセスポイント及び無線ＬＡＮ受信機それぞれの動作を説明するためのフローチャート
【図１０】図１の再送信制御システムの第４変形例における放送波受信チューナ、無線ＬＡＮアクセスポイント及び無線ＬＡＮ受信機それぞれの動作を説明するためのフローチャート
【図１１】図１の再送信制御システムの第５変形例における放送波受信チューナ、無線ＬＡＮアクセスポイント及び無線ＬＡＮ受信機それぞれの動作を説明するためのフローチャート
【図１２】図１の再送信制御システムの第６変形例の概略構成を示すブロック図
【発明を実施するための形態】
【００１０】
以下、本開示を実施するための好適な実施の形態について、図面を参照して詳細に説明する。
【００１１】
図１は、本開示の一実施の形態に係る再送信制御システム１の概略構成を示すブロック図である。また、図２は、本実施の形態に係る再送信制御システム１におけるデータフォーマットを示す図である。
【００１２】
図１において、本実施の形態に係る再送信制御システム１は、放送で送信されたコンテンツを無線ＬＡＮマルチキャストで配信するシステムであり、コンテンツ生成装置２と、放送波送信装置（送信装置）３と、放送波受信チューナ４と、無線ＬＡＮアクセスポイント（アクセスポイント）５と、無線ＬＡＮ受信機（受信端末）６と、を備える。
【００１３】
（コンテンツ生成装置２）
コンテンツ生成装置２は、映像や画像、音楽、文章、あるいはそれらを組み合わせて、報道、教育、教養、娯楽等のコンテンツを生成する。また、コンテンツ生成装置２は、地震や噴火等の喫緊事態を知らせる緊急警報情報等の重要情報のコンテンツ（「重要コンテンツ」と言う）も生成する。コンテンツ生成装置２は、重要コンテンツデータを生成した際には、重要コンテンツに緊急度を示すフラグを付加する。コンテンツ生成装置２は、生成した重要コンテンツデータを含むコンテンツデータを放送波送信装置３へ出力する。なお、本開示において、「緊急度を示すフラグ」とは喫緊事態の種類、深刻度合いなどに応じて段階的に付与されるフラグを含み、あるいは、喫緊事態の存在の有無を示す２値的なフラグも含む。なお、緊急度を示すフラグが付与される場合は喫緊事態が生じた場合に限定されず、通常の事態に比して視聴者の注意を喚起する必要の有る事態に付される場合もある。
【００１４】
（放送波送信装置３）
放送波送信装置３は、例えば従来のアナログテレビの１チャンネルから３チャンネルが割り当てられたＶＨＦ―ＬＯＷ帯（９０〜１０８ＭＨｚ）の電波を利用して、コンテンツ生成装置２より出力されたコンテンツデータ又は重要コンテンツデータをＩＰパケットとして放送波に乗せて送信するものである。なお、ＶＨＦ―ＬＯＷ帯は、地方ブロック向けマルチメディア放送用として、災害発生時の緊急警報情報の一斉同報など、地域に密着した放送向けに使用される。また、従来のアナログテレビで使用されていたＶＨＦ帯の１０チャンネルから１２チャンネルのＶＨＦ―ＨＩＧＨ帯は、主に全国向けの単一放送に利用されている。また、放送波にＩＰパケットを載せて各種デバイス端末（携帯電話、スマートフォン、カーナビゲーション、無線ＬＡＮ受信機等）へ一斉同報でコンテンツを伝送する技術は、ＩＰデータキャスト（ＩＰＤＣ：IP Data Cast）と呼ばれている。また、ＩＰパケットの送信には放送波の他にＩＰネットワーク（インターネット）も用いられる。
【００１５】
（放送波受信チューナ４）
放送波受信チューナ４は、放送波受信ＬＳＩ４１とＣＰＵ（Central Processing Unit）４２を備え、放送波送信装置３より送信されたＶＨＦ―ＬＯＷ帯のマルチメディア放送を受信し、受信した放送波からコンテンツを復調する。ＣＰＵ４２には、ＣＰＵ４２を制御するためのプログラムが書き込まれた不図示のＲＯＭ（Read Only Memory）と、ＣＰＵ４２の動作においてワークメモリとして使用される不図示のＲＡＭ（Random Access Memory）等が接続されている。放送波受信ＬＳＩ４１は、受信した放送波からコンテンツデータ又は重要コンテンツデータを復調し、ＣＰＵ４２に出力する。また、放送波受信ＬＳＩ４１は、緊急度を示すフラグが付加された重要コンテンツデータを受信したときは、重要コンテンツ受信検知情報をＣＰＵ４２に通知する。
【００１６】
ＣＰＵ４２は、放送波受信ＬＳＩ４１に対する制御機能と、コンテンツ取得機能と、コンテンツ選択機能と、暗号化（ＯＮ／ＯＦＦ制御を含む）機能と、無線ＬＡＮアクセスポイント５と接続するためのインタフェース機能とを有する。ＣＰＵ４２は、放送波受信ＬＳＩ４１を制御して、コンテンツデータ又は重要コンテンツデータを取得する。ＣＰＵ４２は、放送波受信ＬＳＩ４１より重要コンテンツ受信検知情報が通知されなければ、取得したコンテンツデータが通常のコンテンツデータであると判断して、取得したコンテンツデータに暗号化を施し、暗号化ヘッダＨ１（図２参照）に「暗号化：ＯＮ」をセットしたパケット状の暗号化ヘッダ・データ（図２に示すように、暗号化ヘッダＨ１と暗号化データＤ１とからなる）を生成する。
【００１７】
また、ＣＰＵ４２は、放送波受信ＬＳＩ４１より重要コンテンツ受信検知情報が通知された場合は、取得したコンテンツデータが重要コンテンツデータであると判断して、取得した重要コンテンツデータそのままで（即ち、暗号化しない状態で）、暗号化ヘッダに「暗号化：ＯＦＦ」をセットしたパケット状の暗号化ヘッダ・データを生成する。
【００１８】
ＣＰＵ４２は、生成したパケット状の暗号化ヘッダ・データを無線ＬＡＮアクセスポイント５へ出力する。ＣＰＵ４２は、重要コンテンツ受信検知情報を受けていた場合は、暗号化ヘッダ・データと合わせて重要コンテンツ受信検知情報を無線ＬＡＮアクセスポイント５へ出力する。
なお、本実施の形態に係る再送信制御システム１では、放送波受信チューナ４は有線で無線ＬＡＮアクセスポイント５と接続されているものとする。
【００１９】
（無線ＬＡＮアクセスポイント５）
無線ＬＡＮアクセスポイント５は、ＣＰＵ５１と、無線ＬＡＮＬＳＩ５２を備え、放送波受信チューナ４から出力されたパケット化された暗号化ヘッダ・データを取り込むか、又は暗号化ヘッダ・データと重要コンテンツ受信検知情報を取り込むと、ＡＬ−ＦＥＣ符号化を施す。ＡＬ−ＦＥＣ符号化は、誤り訂正符号化の一種であり、無線ＬＡＮによるマルチキャスト配信時のパケットロスに対応させるものである。ＣＰＵ５１には、ＣＰＵ５１を制御するためのプログラムが書き込まれた不図示のＲＯＭと、ＣＰＵ５１の動作においてワークメモリとして使用される不図示のＲＡＭ等が接続されている。なお、放送波受信チューナ４のＣＰＵ４２及び無線ＬＡＮアクセスポイント５のＣＰＵ５１は、本開示におけるプロセッサの一種である。
【００２０】
ＣＰＵ５１は、暗号化データ取得機能と、ＡＬ−ＦＥＣ符号化（ＯＮ／ＯＦＦ制御を含む）機能と、ＵＤＰ（User Datagram Protocol）パケット生成機能と、無線ＬＡＮＬＳＩ５２に対する送受信制御機能とを有する。ＣＰＵ５１は、放送波受信チューナ４より出力されたパケット化された暗号化ヘッダ・データを取得すると、取得した暗号化ヘッダ・データに対してＡＬ−ＦＥＣ符号化を施し、ＡＬ−ＦＥＣ符号化ヘッダＨ２（図２参照）には「ＡＬ−ＦＥＣ符号化：ＯＮ」をセットしたＡＬ−ＦＥＣ符号化ヘッダ・データ（図２に示すように、ＡＬ−ＦＥＣ符号化ヘッダＨ２とＡＬ−ＦＥＣ符号化データＤ２とからなる）を生成する。
【００２１】
また、ＣＰＵ５１は、放送波受信チューナ４より出力されたパケット化された暗号化ヘッダ・データと重要コンテンツ受信検知情報を取得すると、取得した暗号化ヘッダ・データそのままで（即ち、ＡＬ−ＦＥＣ符号化しない状態で）、ＡＬ−ＦＥＣ符号化ヘッダには「ＡＬ−ＦＥＣ符号化：ＯＦＦ」をセットしたＡＬ−ＦＥＣ符号化ヘッダ・データを生成する。
【００２２】
ＣＰＵ５１は、生成したＡＬ−ＦＥＣ符号化ヘッダ・データをＵＤＰパケット化し（図２に示すＵＤＰヘッダとＵＤＰペイロード）、無線ＬＡＮＬＳＩ５２へ出力する。無線ＬＡＮＬＳＩ５２は、ＣＰＵ５１から出力されたＵＤＰパケットを送信する。無線ＬＡＮＬＳＩ５２は、例えばＩＥＥＥ８０２．１１の規格に準拠する無線ＬＡＮでマルチキャスト配信する。
【００２３】
（無線ＬＡＮ受信機６）
図１において、無線ＬＡＮ受信機６は、無線ＬＡＮＬＳＩ６１と、ＣＰＵ６２と、ディスプレイ６３と、スピーカ６４とを備え、無線ＬＡＮアクセスポイント５から送信されたＵＤＰパケットを受信し、ＡＬ−ＦＥＣヘッダ・データを復号する。無線ＬＡＮ受信機６は、例えば、携帯電話、スマートフォン、カーナビゲーション、無線ＬＡＮ受信機等のデバイス端末である。
【００２４】
ＣＰＵ６２には、ＣＰＵ６２を制御するためのプログラムが書き込まれた不図示のＲＯＭと、ＣＰＵ６２の動作においてワークメモリとして使用される不図示のＲＡＭ等が接続されている。ＣＰＵ６２は、無線ＬＡＮＬＳＩ６１に対する送受信制御機能と、ＡＬ−ＦＥＣ復号機能と、暗号復号機能と、映像・音声データ復号機能と、映像・音声データ出力機能とを有する。ＣＰＵ６２は、無線ＬＡＮＬＳＩ６１を制御して、無線ＬＡＮＬＳＩ６１で受信されたＵＤＰパケットからＡＬ−ＦＥＣヘッダ・データを取得する。
【００２５】
ＣＰＵ６２は、取得したＡＬ−ＦＥＣヘッダ・データのＡＬ−ＦＥＣ符号化ヘッダＨ２より「ＡＬ−ＦＥＣ符号化：ＯＮ」を検知した場合、ＡＬ−ＦＥＣヘッダ・データのＡＬ−ＦＥＣ符号化データＤ２に対してＡＬ−ＦＥＣ復号を施し、暗号化ヘッダ・データを抽出する。ＣＰＵ６２は、暗号化ヘッダ・データを抽出した後、暗号化ヘッダＨ１より「暗号化：ＯＮ」を検知した場合、暗号化データＤ１に対して暗号復号を施し、コンテンツデータを抽出する。ＣＰＵ６２は、抽出したコンテンツデータの映像データをディスプレイ６３へ出力し、音声データをスピーカ６４へ出力する。
【００２６】
ＣＰＵ６２は、取得したＡＬ−ＦＥＣヘッダ・データのＡＬ−ＦＥＣ符号化ヘッダＨ２より「ＡＬ−ＦＥＣ符号化：ＯＦＦ」を検知した場合、ＡＬ−ＦＥＣ符号化データＤ２に対してＡＬ−ＦＥＣ復号処理なしで暗号化ヘッダ・データを抽出する。ＣＰＵ６２は、暗号化ヘッダ・データを抽出した後、暗号化ヘッダ・データの暗号化ヘッダＨ１より「暗号化：ＯＦＦ」を検知した場合、暗号復号処理なしでコンテンツデータ（重要コンテンツデータ）を抽出する。この場合、暗号化データそのものが重要コンテンツデータである。ＣＰＵ６２は、重要コンテンツデータの映像データをディスプレイ６３へ出力し、音声データをスピーカ６４へ出力する。ディスプレイ６３は、例えばＬＣＤ（Liquid Crystal Display）を有し、ＣＰＵ６２から出力された映像データによる映像を映し出す。
【００２７】
図３は、本実施の形態に係る再送信制御システム１において、放送波送信装置３から重要コンテンツデータが送信されたときの放送波受信チューナ４、無線ＬＡＮアクセスポイント５及び無線ＬＡＮ受信機６それぞれの動作を説明するためのフローチャートである。
【００２８】
同図において、放送波受信チューナ４の放送波受信ＬＳＩ４１は、放送波送信装置３から送信された放送波を受信すると、受信した放送波からコンテンツデータを復調し、復調したコンテンツデータに対して緊急度を示すフラグの検知を行い、緊急度を示すフラグを検知すると、ＣＰＵ４２に重要コンテンツ受信検知情報を通知する（ステップＳ１）。
【００２９】
ＣＰＵ４２は、放送波受信ＬＳＩ４１より重要コンテンツ受信検知情報が通知された場合、取得したコンテンツデータが重要コンテンツデータであると判断して、暗号化ヘッダ・データを生成するが、まず暗号化ヘッダＨ１に「暗号化：ＯＦＦ」をセットする（ステップＳ２）。次いで、ＣＰＵ４２は、暗号化処理無しとした暗号化データＤ１と暗号化ヘッダＨ１とで暗号化ヘッダ・データを生成する（ステップＳ３）。ＣＰＵ４２は、暗号化ヘッダ・データを生成した後、暗号化ヘッダ・データと重要コンテンツ受信検知情報を無線ＬＡＮアクセスポイント５へ送信する（ステップＳ４）。
【００３０】
無線ＬＡＮアクセスポイント５のＣＰＵ５１は、放送波受信チューナ４から送信された暗号化ヘッダ・データと重要コンテンツ受信検知情報を受信すると、重要コンテンツ受信検知情報から重要コンテンツ受信を検知する（ステップＳ１０）。次いで、ＣＰＵ５１は、取得した暗号化ヘッダ・データに対してＡＬ−ＦＥＣ符号化してＡＬ−ＦＥＣヘッダ・データを生成するが、まずＡＬ−ＦＥＣ符号化ヘッダＨ２に「ＡＬ−ＦＥＣ符号化：ＯＦＦ」をセットする（ステップＳ１１）。次いで、ＣＰＵ５１は、ＡＬ−ＦＥＣ符号化無しとしたＡＬ−ＦＥＣ符号化データＤ２とＡＬ−ＦＥＣ符号化ヘッダＨ２とでＡＬ−ＦＥＣヘッダ・データを生成する（ステップＳ１２）。ＣＰＵ５１は、ＡＬ−ＦＥＣヘッダ・データを生成した後、ＡＬ−ＦＥＣヘッダ・データをＵＤＰパケット化する（ステップＳ１３）。そして、ＣＰＵ５１は、生成したＵＤＰパケットを無線ＬＡＮで送信する（ステップＳ１４）。
【００３１】
無線ＬＡＮ受信機６の無線ＬＡＮＬＳＩ６１が無線ＬＡＮアクセスポイント５から送信されたＵＤＰパケットを受信すると、そのＵＤＰパケットをＣＰＵ６２に出力する。ＣＰＵ６２は、無線ＬＡＮＬＳＩ６１で受信されたＵＤＰパケット化されたＡＬ−ＦＥＣヘッダ・データのＡＬ−ＦＥＣ符号化ヘッダＨ２より「ＡＬ−ＦＥＣ符号化：ＯＦＦ」を検知すると（ステップＳ２０）、ＡＬ−ＦＥＣ符号化データＤ２に対してＡＬ−ＦＥＣ復号処理なしで暗号化ヘッダ・データを抽出する（ステップＳ２１）。ＣＰＵ６２は、暗号化ヘッダ・データを抽出した後、暗号化ヘッダ・データの暗号化ヘッダＨ１より「暗号化：ＯＦＦ」を検知すると（ステップＳ２２）、暗号復号処理なしで重要コンテンツデータを抽出する（ステップＳ２３）。次いで、ＣＰＵ６２は、重要コンテンツ出力処理を行う（ステップＳ２４）。
【００３２】
このように、本実施の形態における再送信制御システム１によれば、放送波受信チューナ４は、放送波送信装置３から送信されたコンテンツを受信した場合、そのコンテンツに緊急度を示すフラグが付されていれば、重要コンテンツとして暗号化を省略し、無線ＬＡＮアクセスポイント５は、放送波受信チューナ４で暗号化が省略された重要コンテンツに対するＡＬ−ＦＥＣ符号化を省略するので、緊急警報放送などの重要コンテンツを受信した場合には、暗号化やＡＬ−ＦＥＣ符号化による処理遅延が無くなり、重要コンテンツの受信側への通知を速やかに行うことができる。
【００３３】
なお、上記実施の形態における再送信制御システム１においては、暗号化機能とＡＬ−ＦＥＣ符号化機能の両方を有するものであったが、いずれか一方を有するものであっても構わない。すなわち、放送波受信チューナ４は暗号化機能を有し、無線ＬＡＮアクセスポイント５はＡＬ−ＦＥＣ符号化機能を有しない場合にも本開示は適用可能である。また、放送波受信チューナ４は暗号化機能を有さず、無線ＬＡＮアクセスポイント５はＡＬ−ＦＥＣ符号化機能を有する場合にも本開示は適用可能である。
【００３４】
また、上記実施の形態における再送信制御システム１では、放送波受信チューナ４と無線ＬＡＮアクセスポイント５が別体としているが、一体としてもよい。
【００３５】
（第１変形例）
図４は、本実施の形態に係る再送信制御システム１の第１変形例である暗号化機能：有り、ＡＬ−ＦＥＣ符号化機能：無しの場合のデータフォーマットを示す図である。また、図５は、本実施の形態に係る再送信制御システム１の第１変形例において、放送波送信装置３から重要コンテンツデータが送信されたときの放送波受信チューナ４、無線ＬＡＮアクセスポイント５及び無線ＬＡＮ受信機６それぞれの動作を説明するためのフローチャートである。
【００３６】
図５において、放送波受信チューナ４の放送波受信ＬＳＩ４１は、放送波送信装置３から送信された放送波から重要コンテンツの受信を検知する（ステップＳ３０）。放送波受信ＬＳＩ４１は、重要コンテンツの受信を検知すると、ＣＰＵ４２に重要コンテンツを受信したことを通知する。ＣＰＵ４２は、放送波受信ＬＳＩ４１より重要コンテンツを検知した旨の通知を受けると、暗号化ヘッダ・データを生成するが、まず暗号化ヘッダＨ１に「暗号化：ＯＦＦ」をセットする（ステップＳ３１）。次いで、ＣＰＵ４２は、暗号化処理無しで暗号化データＤ１と暗号化ヘッダＨ１とで暗号化ヘッダ・データを生成する（ステップＳ３２）。ＣＰＵ４２は、暗号化ヘッダ・データを生成した後、暗号化ヘッダ・データを無線ＬＡＮアクセスポイント５へ送信する（ステップＳ３３）。
【００３７】
無線ＬＡＮアクセスポイント５のＣＰＵ５１は、放送波受信チューナ４から送信された暗号化ヘッダ・データを受信すると、暗号化ヘッダ・データをＵＤＰパケット化する（ステップＳ４０）。次いで、ＣＰＵ５１は、生成したＵＤＰパケットを無線ＬＡＮで送信する（ステップＳ４１）。
【００３８】
無線ＬＡＮ受信機６の無線ＬＡＮＬＳＩ６１が無線ＬＡＮアクセスポイント５から送信されたＵＤＰパケットを受信すると、受信したＵＤＰパケットをＣＰＵ６２に出力する。ＣＰＵ６２は、ＵＤＰパケットから暗号化ヘッダ・データを抽出した後、抽出した暗号化ヘッダ・データの暗号化ヘッダＨ１より「暗号化：ＯＦＦ」を検知すると（ステップＳ５０）、暗号復号処理なしで重要コンテンツデータを抽出する（ステップＳ５１）。次いで、ＣＰＵ６２は、重要コンテンツ出力処理を行う（ステップＳ５２）。
【００３９】
（第２変形例）
図６は、本実施の形態に係る再送信制御システム１の第２変形例である暗号化機能：無し、ＡＬ−ＦＥＣ符号化機能：有りの場合のデータフォーマットを示す図である。また、図７は、本実施の形態に係る再送信制御システム１の第２変形例において、放送波送信装置３から重要コンテンツデータが送信されたときの放送波受信チューナ４、無線ＬＡＮアクセスポイント５及び無線ＬＡＮ受信機６それぞれの動作を説明するためのフローチャートである。
【００４０】
図７において、放送波受信チューナ４の放送波受信ＬＳＩ４１は、放送波送信装置３から送信された放送波から重要コンテンツの受信を検知する（ステップＳ６０）。放送波受信ＬＳＩ４１は、重要コンテンツの受信を検知すると、ＣＰＵ４２に重要コンテンツを受信したことを通知する。ＣＰＵ４２は、重要コンテンツを受信した旨の通知を受けると、重要コンテンツと重要コンテンツ受信検知情報を無線ＬＡＮアクセスポイント５へ送信する（ステップＳ６１）。
【００４１】
無線ＬＡＮアクセスポイント５のＣＰＵ５１は、放送波受信チューナ４から送信された重要コンテンツと重要コンテンツ受信検知情報を受信すると、重要コンテンツ受信検知情報より重要コンテンツの受信を検知する（ステップＳ７０）。次いで、ＣＰＵ５１は、ＡＬ−ＦＥＣヘッダ・データを生成するが、まずＡＬ−ＦＥＣ符号化ヘッダＨ２に「ＡＬ−ＦＥＣ符号化：ＯＦＦ」をセットする（ステップＳ７１）。次いで、ＣＰＵ５１は、ＡＬ−ＦＥＣ符号化処理なしで、ＡＬ−ＦＥＣヘッダ・データを生成する（ステップＳ７２）。ＣＰＵ５１は、ＡＬ−ＦＥＣヘッダ・データを生成した後、ＡＬ−ＦＥＣヘッダ・データをＵＤＰパケット化する（ステップＳ７３）。次いで、ＣＰＵ５１は、生成したＵＤＰパケットを無線ＬＡＮで送信する（ステップＳ７４）。
【００４２】
無線ＬＡＮ受信機６の無線ＬＡＮＬＳＩ６１が無線ＬＡＮアクセスポイント５から送信されたＵＤＰパケットを受信すると、そのＵＤＰパケットをＣＰＵ６２に出力する。ＣＰＵ６２は、無線ＬＡＮＬＳＩ６１で受信されたＵＤＰパケット化されたＡＬ−ＦＥＣヘッダ・データのＡＬ−ＦＥＣ符号化ヘッダＨ２より「ＡＬ−ＦＥＣ符号化：ＯＦＦ」の検知を行う（ステップＳ８０）。ＣＰＵ６２は、ＡＬ−ＦＥＣ符号化ヘッダＨ２より「ＡＬ−ＦＥＣ符号化：ＯＦＦ」を検知すると、ＡＬ−ＦＥＣ復号処理なしで重要コンテンツデータを抽出する（ステップＳ８１）。ＣＰＵ６２は、重要コンテンツデータを抽出した後、重要コンテンツ出力処理を行う（ステップＳ８２）。
【００４３】
上記実施の形態における再送信制御システム１においては、重要情報を重要コンテンツデータとして配信するようにしたが、重要情報の提供が必要であることのみを通知することも可能である。すなわち、配信コンテンツは通常のコンテンツであるが、端末側である無線ＬＡＮ受信機６が重要情報の提供が必要であることを検知して、例えば無線ＬＡＮ受信機６に予め設けた定型情報などで重要情報を映像・音声・文字情報などで出力することも可能である。
【００４４】
ここで、図８は、本実施の形態に係る再送信制御システム１に適用可能な重要コンテンツ配信種別と暗号化・ＡＬ−ＦＥＣ符号化機能の搭載の有無を示すパターンを示す図である。同図において、重要コンテンツの配信種別は、「重要情報をコンテンツデータとして配信」と「重要情報提供が必要であることのみを通知」である。前者は、本実施の形態に係る再送信制御システム１とその第１，第２変形例に対応し、後者は、上述した「重要情報の提供が必要であることのみを通知」に対応する。また、同図において、暗号化機能が搭載されている場合とＡＬ−ＦＥＣ符号化機能が搭載されている場合を「○」で示しており、暗号化機能が搭載されていない場合とＡＬ−ＦＥＣ符号化機能が搭載されていない場合を「×」で示している。
【００４５】
重要コンテンツの配信種別が「重要情報をコンテンツデータとして配信」で、暗号化機能が搭載され、ＡＬ−ＦＥＣ符号化機能が搭載されていない場合（Ｎｏ．１の場合）は、放送波受信チューナ４のＣＰＵ４２が暗号化ヘッダ・データを生成する際に、暗号化ヘッダに「暗号化：ＯＦＦ」をセットする。
【００４６】
重要コンテンツの配信種別が「重要情報をコンテンツデータとして配信」で、ＡＬ−ＦＥＣ符号化機能が搭載され、暗号化機能が搭載されていない場合（Ｎｏ．２の場合）、無線ＬＡＮアクセスポイント５のＣＰＵ５１がＡＬ−ＦＥＣヘッダ・データを生成する際に、ＡＬ−ＦＥＣ符号化ヘッダに「ＡＬ−ＦＥＣ符号化：ＯＦＦ」をセットする。
【００４７】
重要コンテンツの配信種別が「重要情報をコンテンツデータとして配信」で、暗号化機能が搭載され、ＡＬ−ＦＥＣ符号化機能が搭載されている場合（Ｎｏ．３の場合）、放送波受信チューナ４のＣＰＵ４２が暗号化ヘッダ・データを生成する際に、暗号化ヘッダに「暗号化：ＯＦＦ」をセットし、無線ＬＡＮアクセスポイント５のＣＰＵ５１がＡＬ−ＦＥＣヘッダ・データを生成する際に、ＡＬ−ＦＥＣ符号化ヘッダに「ＡＬ−ＦＥＣ符号化：ＯＦＦ」をセットする。
【００４８】
重要コンテンツの配信種別が「重要情報提供が必要であることのみを通知」で、暗号化機能が搭載され、ＡＬ−ＦＥＣ符号化機能が搭載されていない場合（Ｎｏ．４の場合）、放送波受信チューナ４のＣＰＵ４２が暗号化ヘッダ・データを生成する際に、暗号化ヘッダに「暗号化：ＯＦＦ」をセットする。
【００４９】
重要コンテンツの配信種別が「重要情報提供が必要であることのみを通知」で、ＡＬ−ＦＥＣ符号化機能が搭載され、暗号化機能が搭載されていない場合（Ｎｏ．５の場合）、無線ＬＡＮアクセスポイント５のＣＰＵ５１がＡＬ−ＦＥＣヘッダ・データを生成する際に、ＡＬ−ＦＥＣ符号化ヘッダに「ＡＬ−ＦＥＣ符号化：ＯＦＦ」をセットする。
【００５０】
重要コンテンツの配信種別が「重要情報提供が必要であることのみを通知」で、暗号化機能が搭載され、ＡＬ−ＦＥＣ符号化機能が搭載されている場合（Ｎｏ．６の場合）、放送波受信チューナ４のＣＰＵ４２が暗号化ヘッダ・データを生成する際に、暗号化ヘッダに「暗号化：ＯＦＦ」をセットし、無線ＬＡＮアクセスポイント５のＣＰＵ５１がＡＬ−ＦＥＣヘッダ・データを生成する際に、ＡＬ−ＦＥＣ符号化ヘッダに「ＡＬ−ＦＥＣ符号化：ＯＦＦ」をセットする。
【００５１】
（第３変形例）
図９は、本実施の形態に係る再送信制御システム１の第３変形例であって、重要コンテンツの配信種別が「重要情報提供が必要であることのみを通知」で、暗号化機能が搭載され、ＡＬ−ＦＥＣ符号化機能が搭載されていない場合（図８のＮｏ．４の場合）における放送波受信チューナ４、無線ＬＡＮアクセスポイント５及び無線ＬＡＮ受信機６それぞれの動作を説明するためのフローチャートである。
【００５２】
図９において、放送波受信チューナ４の放送波受信ＬＳＩ４１は、放送波送信装置３から送信された放送波より重要コンテンツ出力指示の検知を行い（ステップＳ９０）、重要コンテンツ出力指示を検知すると、ＣＰＵ４２にその旨を通知する。
【００５３】
ＣＰＵ４２は、放送波受信ＬＳＩ４１より重要コンテンツ出力指示が検知された旨の通知があると、暗号化ヘッダ・データを生成するが、まず暗号化ヘッダに重要コンテンツ出力指示検知情報と「暗号化：ＯＦＦ」をセットする（ステップＳ９１）。次いで、ＣＰＵ４２は、暗号化処理無しで暗号化ヘッダ・データを生成する（ステップＳ９２）。ＣＰＵ４２は、暗号化ヘッダ・データを生成した後、暗号化ヘッダ・データを無線ＬＡＮアクセスポイント５へ送信する（ステップＳ９３）。
【００５４】
無線ＬＡＮアクセスポイント５のＣＰＵ５１は、放送波受信チューナ４から送信された暗号化ヘッダ・データを受信すると、受信した暗号化ヘッダ・データをＵＤＰパケット化する（ステップＳ１００）。次いで、ＣＰＵ５１は、生成したＵＤＰパケットを無線ＬＡＮで送信する（ステップＳ１０１）。
【００５５】
無線ＬＡＮ受信機６の無線ＬＡＮＬＳＩ６１が無線ＬＡＮアクセスポイント５から送信されたＵＤＰパケットを受信すると、そのＵＤＰパケットをＣＰＵ６２に出力する。ＣＰＵ６２は、ＵＤＰパケットから暗号化ヘッダ・データを抽出し、暗号化ヘッダ・データの暗号化ヘッダより重要コンテンツ出力指示の検知を行い（ステップＳ１１０）、重要コンテンツ出力指示を検知すると、重要コンテンツ出力処理（定型情報表示等）を行う（ステップＳ１１１）。次いで、ＣＰＵ６２は、暗号化ヘッダ・データの暗号化ヘッダより「暗号化：ＯＦＦ」の検知を行い（ステップＳ１１２）、「暗号化：ＯＦＦ」を検知すると、暗号復号処理なしでコンテンツデータを抽出する（ステップＳ１１３）。なお、抽出したコンテンツデータは、通常のコンテンツデータである。
【００５６】
（第４変形例）
図１０は、本実施の形態に係る再送信制御システム１の第４変形例であって、重要コンテンツの配信種別が「重要情報提供が必要であることのみを通知」で、暗号化機能が搭載されておらず、ＡＬ−ＦＥＣ符号化機能が搭載されている場合（図８のＮｏ．５の場合）における放送波受信チューナ４、無線ＬＡＮアクセスポイント５及び無線ＬＡＮ受信機６それぞれの動作を説明するためのフローチャートである。
【００５７】
図１０において、放送波受信チューナ４の放送波受信ＬＳＩ４１は、放送波送信装置３から送信された放送波より重要コンテンツ出力指示の検知を行い（ステップＳ１２０）、重要コンテンツ出力指示を検知すると、ＣＰＵ４２にその旨を通知する。ＣＰＵ４２は、重要コンテンツ出力指示が検知された通知を受けると、重要コンテンツ出力指示検知情報とコンテンツを無線ＬＡＮアクセスポイント５へ送信する（ステップＳ１２１）。
【００５８】
無線ＬＡＮアクセスポイント５のＣＰＵ５１は、放送波受信チューナ４から送信された重要コンテンツ出力指示検知情報とコンテンツを受信すると、重要コンテンツ出力指示検知情報より重要コンテンツ出力指示を検知する（ステップＳ１３０）。ＣＰＵ５１は、重要コンテンツ出力指示を検知すると、ＡＬ−ＦＥＣ符号化ヘッダに重要コンテンツ出力指示検知情報と「ＡＬ−ＦＥＣ符号化：ＯＦＦ」をセットする（ステップＳ１３１）。次いで、ＣＰＵ５１は、ＡＬ−ＦＥＣ符号化処理なしでＡＬ−ＦＥＣヘッダ・データを生成する（ステップＳ１３２）。次いで、ＣＰＵ５１は、生成したＡＬ−ＦＥＣヘッダ・データをＵＤＰパケット化する（ステップＳ１３３）。次いで、ＣＰＵ５１は、生成したＵＤＰパケットを無線ＬＡＮで送信する（ステップＳ１３４）。
【００５９】
無線ＬＡＮ受信機６の無線ＬＡＮＬＳＩ６１が無線ＬＡＮアクセスポイント５から送信されたＵＤＰパケットを受信すると、そのＵＤＰパケットをＣＰＵ６２に出力する。ＣＰＵ６２は、無線ＬＡＮＬＳＩ６１で受信されたＵＤＰパケット化されたＡＬ−ＦＥＣヘッダ・データのＡＬ−ＦＥＣ符号化ヘッダより重要コンテンツ出力指示の検知を行う（ステップＳ１４０）。ＣＰＵ６２は、重要コンテンツ出力指示を検知すると、重要コンテンツ出力処理（定型情報表示等）を行う（ステップＳ１４１）。次いで、ＣＰＵ６２は、ＡＬ−ＦＥＣ符号化ヘッダより「ＡＬ−ＦＥＣ符号化：ＯＦＦ」の検知を行う（ステップＳ１４２）。ＣＰＵ６２は、「ＡＬ−ＦＥＣ符号化：ＯＦＦ」を検知すると、ＡＬ−ＦＥＣ復号処理なしでコンテンツデータを抽出する（ステップＳ１４３）。
【００６０】
（第５変形例）
図１１は、本実施の形態に係る再送信制御システム１の第５変形例であって、重要コンテンツの配信種別が「重要情報提供が必要であることのみを通知」で、暗号化機能とＡＬ−ＦＥＣ符号化機能が共に搭載されている場合（図８のＮｏ．６の場合）における放送波受信チューナ４、無線ＬＡＮアクセスポイント５及び無線ＬＡＮ受信機６それぞれの動作を説明するためのフローチャートである。
【００６１】
図１１において、放送波受信チューナ４の放送波受信ＬＳＩ４１は、放送波送信装置３から送信された放送波より重要コンテンツ出力指示の検知を行い（ステップＳ１５０）、重要コンテンツ出力指示を検知すると、ＣＰＵ４２に重要コンテンツ出力指示を通知する。ＣＰＵ４２は、放送波受信ＬＳＩ４１より重要コンテンツ出力指示が通知されると、暗号化ヘッダに「暗号化：ＯＦＦ」をセットする（ステップＳ１５１）。次いで、ＣＰＵ４２は、暗号化処理無しで暗号化ヘッダ・データを生成する（ステップＳ１５２）。ＣＰＵ４２は、暗号化ヘッダ・データを生成した後、重要コンテンツ出力指示検知情報と暗号化ヘッダ・データを無線ＬＡＮアクセスポイント５へ送信する（ステップＳ１５３）。
【００６２】
無線ＬＡＮアクセスポイント５のＣＰＵ５１は、放送波受信チューナ４から送信された重要コンテンツ出力指示検知情報と暗号化ヘッダ・データを受信すると、重要コンテンツ出力指示検知情報より重要コンテンツ出力指示の検知を行う（ステップＳ１６０）。ＣＰＵ５１は、重要コンテンツ出力指示を検知すると、ＡＬ−ＦＥＣ符号化ヘッダに重要コンテンツ出力指示検知情報と「ＡＬ−ＦＥＣ符号化：ＯＦＦ」をセットする（ステップＳ１６１）。次いで、ＣＰＵ５１は、ＡＬ−ＦＥＣ符号化処理なしでＡＬ−ＦＥＣヘッダ・データを生成する（ステップＳ１６２）。ＣＰＵ５１は、ＡＬ−ＦＥＣヘッダ・データを生成した後、ＡＬ−ＦＥＣヘッダ・データをＵＤＰパケット化する（ステップＳ１６３）。次いで、ＣＰＵ５１は、生成したＵＤＰパケットを無線ＬＡＮで送信する（ステップＳ１６４）。
【００６３】
無線ＬＡＮ受信機６の無線ＬＡＮＬＳＩ６１が無線ＬＡＮアクセスポイント５から送信されたＵＤＰパケットを受信すると、そのＵＤＰパケットをＣＰＵ６２に出力する。ＣＰＵ６２は、ＵＤＰパケットからＡＬ−ＦＥＣヘッダ・データを抽出し、抽出したＡＬ−ＦＥＣヘッダ・データのＡＬ−ＦＥＣ符号化ヘッダより重要コンテンツ出力指示の検知を行う（ステップＳ１７０）。ＣＰＵ６２は、重要コンテンツ出力指示を検知すると、重要コンテンツ出力処理（定型情報表示等）を行う（ステップＳ１７１）。次いで、ＣＰＵ６２は、ＡＬ−ＦＥＣ符号化ヘッダより「ＡＬ−ＦＥＣ符号化：ＯＦＦ」の検知を行う（ステップＳ１７２）。ＣＰＵ６２は、「ＡＬ−ＦＥＣ符号化：ＯＦＦ」を検知すると、ＡＬ−ＦＥＣ復号処理なしで暗号化ヘッダ・データを抽出する（ステップＳ１７３）。次いで、ＣＰＵ６２は、暗号化ヘッダより「暗号化：ＯＦＦ」の検知を行う（ステップＳ１７４）。ＣＰＵ６２は、暗号化ヘッダより「暗号化：ＯＦＦ」を検知すると、暗号復号処理なしでコンテンツデータを抽出する（ステップＳ１７５）。
【００６４】
（第６変形例）
図１２は、本実施の形態に係る再送信制御システム１の第６変形例の概略構成を示すブロック図である。同図において、第６変形例の再送信制御システム１Ａは、コンテンツをネットワーク１１にて配信するシステムであり、コンテンツ配信サーバ１２と、無線ＬＡＮアクセスポイント（アクセスポイント）５Ａと、無線ＬＡＮ受信機（受信端末）６Ａと、を備える。
【００６５】
コンテンツ配信サーバ１２は、映像や画像、音楽、文章、あるいはそれらを組み合わせて、報道、教育、教養、娯楽等のコンテンツを生成する。また、コンテンツ配信サーバ１２は、地震や噴火等の喫緊事態を知らせる緊急警報情報等の重要情報のコンテンツ即ち重要コンテンツも生成する。コンテンツ配信サーバ１２は、重要コンテンツデータを生成した際には、重要コンテンツに緊急度を示すフラグを付加する。コンテンツ配信サーバ１２は、生成した重要コンテンツデータを含むコンテンツデータをネットワーク１１に出力する。なお、本開示において、「緊急度を示すフラグ」とは喫緊事態の種類、深刻度合いなどに応じて段階的に付与されるフラグを含み、あるいは、喫緊事態の存在の有無を示す２値的なフラグも含む。なお、緊急度を示すフラグが付与される場合は喫緊事態が生じた場合に限定されず、通常の事態に比して視聴者の注意を喚起する必要の有る事態に付される場合もある。
【００６６】
無線ＬＡＮアクセスポイント５Ａは、ＣＰＵ５１Ａと、無線ＬＡＮＬＳＩ５２とを備える。ＣＰＵ５１Ａには、ＣＰＵ５１Ａを制御するためのプログラムが書き込まれた不図示のＲＯＭと、ＣＰＵ５１Ａの動作においてワークメモリとして使用される不図示のＲＡＭ等が接続されている。なお、無線ＬＡＮアクセスポイント５ＡのＣＰＵ５１Ａは、プロセッサに対応する。
【００６７】
ＣＰＵ５１Ａは、重要コンテンツ（緊急警報情報等）受信機能と、暗号化機能（ＯＮ／ＯＦＦ制御を含む）と、ＡＬ−ＦＥＣ符号化機能（ＯＮ／ＯＦＦ制御を含む）と、ＵＤＰパケット化機能と、無線ＬＡＮＬＳＩ送受信制御機能とを有する。
【００６８】
ＣＰＵ５１Ａは、コンテンツ配信サーバ１２より出力された重要コンテンツを取得した場合で、暗号化機能とＡＬ−ＦＥＣ符号化機能が共に有りであれば、取得したコンテンツに暗号化を施さず、暗号化ヘッダに「暗号化：ＯＦＦ」をセットする。さらに、ＣＰＵ５１Ａは、暗号化されていないコンテンツにＡＬ−ＦＥＣ符号化を施さず、ＡＬ−ＦＥＣ符号化ヘッダに「ＡＬ−ＦＥＣ符号化：ＯＦＦ」をセットする。
【００６９】
無線ＬＡＮ受信機６Ａは、無線ＬＡＮＬＳＩ６１と、ＣＰＵ６２Ａと、ディスプレイ６３と、スピーカ６４とを備える。ＣＰＵ６２Ａには、ＣＰＵ６２Ａを制御するためのプログラムが書き込まれた不図示のＲＯＭと、ＣＰＵ６２Ａの動作においてワークメモリとして使用される不図示のＲＡＭ等が接続されている。
【００７０】
ＣＰＵ６２Ａは、無線ＬＡＮＬＳＩ送受信制御機能と、ＡＬ−ＦＥＣ復号機能（ＯＮ／ＯＦＦ制御を含む）と、暗号復号機能（ＯＮ／ＯＦＦ制御を含む）と、映像・音声データ復号機能と、映像・音声データ出力機能とを有する。ＣＰＵ６２Ａは、コンテンツデータの抽出及び出力処理は、無線ＬＡＮ受信機６のＣＰＵ６２が行う処理と同様である。
【００７１】
ＣＰＵ６２Ａは、無線ＬＡＮアクセスポイント５Ａから送信されたＵＤＰパケットを受信して、ＡＬ−ＦＥＣ符号化ヘッダより「ＡＬ−ＦＥＣ符号化：ＯＦＦ」を検知すると、ＡＬ−ＦＥＣ復号処理なしで暗号化ヘッダ・データを抽出する。次いで、ＣＰＵ６２Ａは、暗号化ヘッダより「暗号化：ＯＦＦ」を検知すると、暗号復号処理なしで重要コンテンツデータを抽出する。次いで、ＣＰＵ６２Ａは、重要コンテンツの出力処理を行う。
【００７２】
このように、コンテンツデータの配信元を放送波送信装置３からコンテンツ配信サーバ１２としても、無線ＬＡＮアクセスポイント５Ａ及び無線ＬＡＮ受信機６Ａそれぞれにおける動作は、無線ＬＡＮアクセスポイント５及び無線ＬＡＮ受信機６それぞれにおける動作と同様に行われる。
【００７３】
以上、図面を参照しながら実施の形態及びその変形例について説明したが、本開示はかかる例に限定されないことは言うまでもない。当業者であれば、特許請求の範囲に記載された範疇内において、各種の変更例又は修正例に想到し得ることは明らかであり、それらについても当然に本開示の技術的範囲に属するものと了解される。また、本開示の趣旨を逸脱しない範囲において、上記実施の形態における各構成要素を任意に組み合わせてもよい。
【００７４】
また、上記実施の形態及びその変形例では、緊急度を示すフラグが付されたコンテンツに対して、暗号化及びＡＬ−ＦＥＣ符号化の少なくともいずれか一方を省略するようにしたが、計算量を低減させたＡＬ−ＦＥＣ符号化を施すようにしてもよい。
【００７５】
また、上記実施の形態及びその変形例の説明に用いた各機能ブロックは、典型的には集積回路であるＬＳＩ（Large Scale Integration）として実現される。これらは個別に１チップ化されてもよいし、各機能ブロックの一部又は全てを含むように１チップ化されてもよい。ここではＬＳＩとしたが、集積度の違いにより、ＩＣ、システムＬＳＩ、スーパーＬＳＩ、ウルトラＬＳＩと呼称されることもある。また、集積回路化の手法にはＬＳＩに限らず、専用回路または汎用プロセッサを用いて実現してもよい。ＬＳＩ製造後に、プログラムすることが可能なＦＰＧＡ（Field Programmable Gate Array）、又は、ＬＳＩ内部の回路セルの接続、設定が再構成可能なリコンフィグラブル・プロセッサーを利用してもよい。さらには、半導体技術の進歩または派生する別技術によりＬＳＩに置き換わる集積回路化の技術が登場すれば、当然、別技術を用いて機能ブロックの集積化を行ってもよい。バイオ技術の適用等が可能性としてありえる。
【００７６】
（本開示の一態様の概要）
本開示の再送信制御システムは、送信装置から送信されたコンテンツを受信し、暗号化および誤り訂正符号化の少なくともいずれか一方を施して前記コンテンツを再送信する再送信制御システムであって、前記送信装置は、前記コンテンツに対して緊急度を示すフラグを付し、前記再送信制御システムは、プロセッサを有し、前記プロセッサは、前記緊急度を示すフラグが付されたコンテンツに対しては、暗号化および誤り訂正符号化の少なくともいずれか一方を省略し、もしくは、計算量を低減させた誤り訂正符号化を施す。
【００７７】
上記構成によれば、緊急度を示すフラグが付されたコンテンツを受信した場合には、暗号化や誤り訂正符号化による処理遅延が無くなり、緊急度の高いコンテンツの受信側への通知を速やかに行うことが可能となる。
【００７８】
上記構成において、前記送信装置は、放送波送信装置である。
【００７９】
上記構成によれば、放送波を用いてコンテンツを配信することができる。
【００８０】
上記構成において、前記再送信制御システムは、前記放送波送信装置から送信されたコンテンツを受信し、受信された前記コンテンツに対して暗号化を施す放送波受信チューナと、前記放送波受信チューナから出力された暗号化された前記コンテンツに対して誤り訂正符号化を施すアクセスポイントと、を有する。
【００８１】
上記構成によれば、放送波を用いてコンテンツを配信することができる。
【００８２】
上記構成において、前記送信装置は、コンテンツ配信サーバである。
【００８３】
上記構成によれば、ネットワーク経由でコンテンツを配信することができる。
【００８４】
上記構成において、前記再送信制御システムから再送信されたコンテンツを受信する受信端末は、受信された前記コンテンツに対して暗号化および誤り訂正符号化の少なくともいずれか一方が施されていなかった場合、暗号化および誤り訂正符号化の少なくともいずれか一方の復号化を省略する。
【００８５】
上記構成によれば、受信端末において、暗号化や誤り訂正符号化による処理遅延が減少するので、受信端末のユーザに対し、緊急度の高いコンテンツを速やかに通知することができる。
【００８６】
本開示の再送信制御方法は、送信装置から送信されたコンテンツを受信し、暗号化および誤り訂正符号化の少なくともいずれか一方を施して前記コンテンツを再送信する再送信制御システムにおける再送信制御方法であって、前記コンテンツに対して緊急度を示すフラグを付すステップと、前記緊急度を示すフラグが付されたコンテンツに対しては、暗号化および誤り訂正符号化の少なくともいずれか一方を省略し、もしくは、計算量を低減させた誤り訂正符号化を施すステップと、を有する。
【００８７】
上記方法によれば、緊急度を示すフラグが付されたコンテンツを受信した場合には、暗号化や誤り訂正符号化による処理遅延が無くなり、緊急度の高いコンテンツの受信側への通知を速やかに行うことが可能となる。
【産業上の利用可能性】
【００８８】
本開示は、例えば、従来のアナログテレビで使用されていたＶＨＦ帯の電波を利用してマルチメディア放送を行う再送信制御システムなどに有用である。
【符号の説明】
【００８９】
１，１Ａ  再送信制御システム
２  コンテンツ生成装置
３  放送波送信装置
４  放送波受信チューナ
５，５Ａ  無線ＬＡＮアクセスポイント
６，６Ａ  無線ＬＡＮ受信機
１１  ネットワーク
１２  コンテンツ配信サーバ
４１  放送波受信ＬＳＩ
４２，５１，５１Ａ，６２，６２Ａ  ＣＰＵ
５２，６１  無線ＬＡＮＬＳＩ
６３  ディスプレイ
６４  スピーカ
【図１】
2017028573.tif 000003
【図２】
2017028573.tif 000004
【図３】
2017028573.tif 000005
【図４】
2017028573.tif 000006
【図５】
2017028573.tif 000007
【図６】
2017028573.tif 000008
【図７】
2017028573.tif 000009
【図８】
2017028573.tif 000010
【図９】
2017028573.tif 000011
【図１０】
2017028573.tif 000012
【図１１】
2017028573.tif 000013
【図１２】
2017028573.tif 000014